(57)【要約】      （修正有）【課題】フォーカス群が軽量で移動量の少ない、倍率色収差のフォーカス変動の補正された、高性能で高倍率の、一眼レフカメラに好適なズームレンズを提供する。【解決手段】物体側から順に、正の屈折力の第１群、負の屈折力の第２群、正の屈折力の第３群、負の屈折力の第４群、正の屈折力の第５群、負の屈折力の第６群から構成され、第６群でフォーカスし、以下の条件式を満たす。ｆ６：第６群の焦点距離、ｆｔ：望遠端の全系の焦点距離、ν１ｉ：第１群中の物体側からｉ番目のレンズのアッベ数、ν４ｉ：第４群中の物体側からｉ番目のレンズのアッベ数、φ１ｉ：第１群中の物体側からｉ番目のレンズのパワー、φ４ｉ：第４群中の物体側からｉ番目のレンズのパワー、φｔ：望遠端の全系パワーである。2018189866.tif 000018【選択図】なし【特許請求の範囲】
【請求項１】
物体側から順に、正の屈折力の第１群、負の屈折力の第２群、正の屈折力の第３群、負の屈折力の第４群、正の屈折力の第５群、負の屈折力の第６群から構成され、第６群でフォーカスし、以下の条件式を満たすことを特徴とするズームレンズ。
【数１】
2018189866.tif 000014
【請求項２】
以下の条件式を満たすことを特徴とする請求項１に記載のズームレンズ。
−２．０＜β２ｔ＜−１．０・・・（４）
【請求項３】
以下の条件式を満たすことを特徴とする請求項１又は請求項２に記載のズームレンズ。
０．２＜ｆ１／ｆｔ＜０．４・・・（５）
【請求項４】
以下の条件式を満たすことを特徴とする請求項１乃至請求項３の何れか一項に記載のズームレンズ。
−０．２＜ｆ２／ｆ１＜−０．１・・・（６）
【請求項５】
以下の条件式を満たすことを特徴とする請求項１乃至請求項４の何れか一項に記載のズームレンズ。
【数２】
2018189866.tif 000015
【請求項６】
以下の条件式を満たすことを特徴とする請求項１乃至請求項５の何れか一項に記載のズームレンズ。
【数３】
2018189866.tif 000016
【請求項７】
以下の条件式を満たすことを特徴とする請求項１乃至請求項６の何れか一項に記載のズームレンズ。
０．５＜ｆｎ／ｆ６＜０．９・・・（９）
【請求項８】
以下の条件式を満たすことを特徴とする請求項１乃至請求項７の何れか一項に記載のズームレンズ。
【数４】
2018189866.tif 000017
【請求項９】
請求項１乃至請求項８の何れか一項に記載のズームレンズを有することを特徴とする光学機器。
【発明の詳細な説明】
【技術分野】
【０００１】
本発明は、デジタルカメラ、デジタル一眼レフカメラ、デジタルビデオカメラ等に関し、特にデジタル一眼レフカメラに好適なズームレンズに関する。
【背景技術】
【０００２】
近年、ユーザーの多様な用途に答えるため、ズームレンズの更なる高倍率化が求められている。高倍率のズームレンズとして物体から順に、正の屈折力を有する第１群、負の屈折力を有する第２群、正の屈折力を有する第３群、負の屈折力を有する第４群、正の屈折力を有する第５群、負の屈折力を有する第６群を有するタイプが知られている。また、光学系の光学性能を示すパラメータとして倍率色収差が知られている。倍率色収差は倍率色収差係数に依存することが知られている。
【０００３】
特許文献１、２には、正の屈折力を有する第１群、負の屈折力を有する第２群、正の屈折力を有する第３群、負の屈折力を有する第４群、正の屈折力を有する第５群、負の屈折力を有する第６群を有するズームレンズが開示されている。非特許文献１には、光学系の倍率色収差係数について開示されている。
【先行技術文献】
【特許文献】
【０００４】
【特許文献１】特開２０１０−１９８０１２号公報
【特許文献２】特開２００９−２８２２１４号公報
【非特許文献１】松居良哉、「収差論」、社団法人日本オプトメカトロニクス協会、１９８９
【発明の概要】
【発明が解決しようとする課題】
【０００５】
しかしながら、高倍ズームレンズでは、望遠端のフォーカス群の移動量が大きいこと、フォーカス時の倍率色収差変動が課題となる。
【０００６】
特許文献１は、第６群でフォーカスしているが、第６群のパワーが弱いため、フォーカス群の移動量が大きい。また、フォーカス時の倍率色収差変動の補正が十分ではない。
【０００７】
特許文献２は、第５群でフォーカスしているが望遠端で第４群と第５群の間隔が狭いため、十分な移動量が確保できず、至近距離の撮影が困難である。
【０００８】
従来、この点に鑑みて高倍率ズームレンズに関して、フォーカス時の倍率収差変動を補正する技術は提案されていない。
【０００９】
本発明の目的は、高倍率でフォーカス群の移動量が少なく、フォーカス時の倍率色収差変動の補正されたズームレンズを提供することにある。
【課題を解決するための手段】
【００１０】
上記の目的を達成するために、本発明に係るズームレンズは、
物体側から順に、正の屈折力の第１群、負の屈折力の第２群、正の屈折力の第３群、負の屈折力の第４群、正の屈折力の第５群、負の屈折力の第６群から構成され、第６群でフォーカスし、以下の条件式を満たすことを特徴とする。
【００１１】
【数１】
2018189866.tif 000002
【００１２】
ただし
ｆ６：第６群の焦点距離
ｆｔ：望遠端の全系の焦点距離
ν１ｉ：第１群中の物体側からｉ番目のレンズのアッベ数
ν４ｉ：第４群中の物体側からｉ番目のレンズのアッベ数
φ１ｉ：第１群中の物体側からｉ番目のレンズのパワー
φ４ｉ：第４群中の物体側からｉ番目のレンズのパワー
φｔ：望遠端の全系パワー
とする。
【発明の効果】
【００１３】
本発明によれば、高倍率でフォーカス群の移動量が少なく、フォーカス時の倍率色収差変動の補正されたズームレンズを提供することができる。
【図面の簡単な説明】
【００１４】
【図１】望遠端の無限遠の倍率色収差の模式図
【図２】望遠端の至近の倍率色収差の模式図
【図３】数値実施例１の広角端での断面図
【図４】数値実施例１の広角端での収差図
【図５】数値実施例１の望遠端での収差図
【図６】数値実施例２の広角端での断面図
【図７】数値実施例２の広角端での収差図
【図８】数値実施例２の望遠端での収差図
【図９】数値実施例３の広角端での断面図
【図１０】数値実施例３の広角端での収差図
【図１１】数値実施例３の望遠端での収差図
【発明を実施するための形態】
【００１５】
以下に、本発明の好ましい実施の形態を、添付の図面に基づいて詳細に説明する。図１、図２は本発明の望遠端の無限遠、至近の倍率色収差の模式図である。図３、６、９は、本発明の実施形態にかかわる数値実施例１〜３の広角端での断面図である。図４、７、１０は、本発明の実施形態にかかわる数値実施例１〜３の広角端での収差図である。図５、８、１１は、本発明の実施形態にかかわる数値実施例１〜３の望遠端での収差図である。
【００１６】
各レンズ断面図において、ＳＰは絞り、ＩＰは像面をあらわしている。各収差図において、ｄ、ｇは各々ｄ線及びｇ線、ΔＭ、ΔＳはメリジオナル像面、サジタル像面を表している。倍率色収差はｇ線であらわしている。
【００１７】
物体側から順に、正の屈折力を有する第１群、負の屈折力の第２群、正の屈折力を有する第３群、負の屈折力を有する第４群、正の屈折力を有する第５群、負の屈折力を有する第６群から構成されるズームレンズについて述べる。
【００１８】
変倍時に第１群と第２群の間隔は増加し、第２群と第３群の間隔は減少し、第３群と第４群の間隔は減少し、第４群と第５群の間隔は減少し、第５群と第６群の間隔は減少する。第１群と第３群、第４群、第５群、第６群は物体側に移動する。第２群は像側に移動する。
【００１９】
第６群はフォーカス時に像側に移動するため、変倍時に物体側に移動してできた間隔を有効に利用できるため好ましい。また、径が小さいため、フォーカス群が軽量化できるため好ましい。フォーカス群を第２群にするとフォーカス時のフォーカス群の移動量は抑えられるが、高倍化のために第２群の径が大きく、フォーカス群が重くなるために好ましくない。フォーカス群が重くなると駆動させるために必要なメカ機構が増大し、コストアップ、カメラ全体としての大型化につながるために好ましくない。
【００２０】
第３群、第４群、第５群でフォーカスすると、隣接する群に干渉するために、フォーカス移動量を確保することが困難である。移動量を確保しようとすると、望遠端で群間隔を大きく広げることになり、ズームレンズの大型化につながるために好ましくない。本発明の高倍ズームレンズは、高倍化のために第１群と第２群の径が大型化しており、フォーカス群が重くなるために好ましくない。
【００２１】
一般に、フォーカス時の収差が変動する要因として、フォーカス群の位置が変化することによるレンズを通過する光線の変化、物体距離が変動することにより第１群への光線入射角度や高さが変化することがあげられる。
【００２２】
図１を用いて本発明の倍率色収差補正について説明する。図１は縦軸に倍率色収差係数、横軸に波長を用いている。
【００２３】
各群とズームレンズ全体での倍率色収差係数を表している。本発明において倍率色収差係数とは非特許文献１のＰ４９からＰ１１７に開示されている倍率色収差係数のことである。望遠端の無限遠状態で、倍率色収差は第１群と第２群が打ち消しあい、第４群は補正されており、ズームレンズ全体として補正されている。本発明では、高倍化のために第２群の変倍分担を上げており、倍率色収差が増大する。それを第１群であえて倍率色収差を出して補正する。
【００２４】
図２を用いて本発明の至近での倍率色収差補正について説明する。図２は縦軸に倍率色収差係数、横軸に波長を用いている。各群と全体での倍率色収差係数を表している。
【００２５】
望遠端の至近状態で第１群と第２群への光線入射角度、光線高さが変動し、倍率色収差が大きく減少している。第１群も第２群も同様に減少しているために、打ち消しあう関係は維持されてフォーカス時の収差変動が補正できる。第４群で倍率色収差を出して第２群の倍率色収差を補正すると、至近状態でフォーカスしたときに第２群は大きく減少し、第４群は変動が少ないのでフォーカス時の収差変動を補正するのが困難となる。
【００２６】
以下、各実施形態について１つずつ説明する。
【実施例１】
【００２７】
以下、図３を参照して、本発明の第１の実施例による、レンズ構成について説明する。図３に示す実施例１は、物体側から順に、第１正群Ｌ１、第２負群Ｌ２、絞りＳＰ、第３正群Ｌ３、第４負群Ｌ４、第５正群Ｌ５、第６負群Ｌ６、から構成されている。フォーカスは第６群Ｌ６で行っている。
【００２８】
第６群の焦点距離と望遠端の全系焦点距離は以下の条件式を満たす。
【００２９】
−０．１３＜ｆ６／ｆｔ＜−０．０５・・・（１）
条件式（１）は第６群の焦点距離と望遠端の焦点距離の比を規定している。このパワー配置にする事で望遠端の第６群の横倍率を大きくし、フォーカス群の移動量短縮に寄与している。上限値を超えると、第６群の焦点距離が小さくなり、第６群中の負レンズのパワーが強くなり過ぎ、第６群内で発生する倍率色収差を補正することが困難になるために好ましくない。下限値を超えると、第６群の焦点距離が大きくなり、フォーカス群の移動量を短縮することが困難になるために好ましくない。
【００３０】
第１群のレンズは以下の条件式を満たす。
【００３１】
【数２】
2018189866.tif 000003
【００３２】
条件式（２）は、第１群の色消しの条件を規定している。本発明の高倍ズームレンズでは、第２群の変倍分担を上げることで高倍化に貢献している。そのため第２群のパワーが強くなり、望遠端の倍率色収差は増大する。第１群であえて倍率色収差を出すことで、２群で発生した倍率色収差を打ち消して、ズームレンズ全体では補正している。また、フォーカス時に倍率色収差が変動するが、第２群の変動分を第１群の変動分で補正することでズームレンズ全体としての倍率色収差の変動を補正している。上限値を超えると、第１群の色消し力が大きくなり、第２群で発生する倍率色収差の補正が過剰となるために好ましくない。下限値を超えると、第１群の色消し力が小さくなり、第２群で発生した倍率色収差を補正することが困難になるために好ましくない。
【００３３】
第４群のレンズは以下の条件式を満たす。
【００３４】
【数３】
2018189866.tif 000004
【００３５】
条件式（３）は第４群の色消しの条件を規定している。上限値を超えると、第４群の色消し力が逆符号となり、倍率色収差の変動を補正することが困難になるために好ましくない。下限値を超えると、第４群の色消し力が大きくなり、フォーカス時に倍率色収差の変動を補正することが困難になるために好ましくない。
【００３６】
以上で本発明の目的は達成可能である。
【００３７】
更に好ましくは条件式（１ａ）を満たすと、倍率色収差の補正が更に良好にできるので良い。
【００３８】
−０．１３＜ｆ６／ｆｔ＜−０．０７・・・（１ａ）
更に好ましくは条件式（２ａ）を満たすと、倍率色収差のフォーカス変動を更に良好に補正できるので良い。
【００３９】
【数４】
2018189866.tif 000005
【００４０】
望ましくは以下の条件式を満たすと高倍化ができるため良い。
【００４１】
−２．０＜β２ｔ＜−１．０・・・（４）
ただし
β２ｔ：第２群の望遠端の横倍率
とする。
【００４２】
条件式（４）は第２群の望遠端の横倍率の範囲を規定している。上限値を超えると、第２群の望遠端での横倍率が小さくなり、第２群の変倍分担が小さくなるため、高倍率化することが困難になるために好ましくない。下限値を超えると、第２群の望遠端での横倍率が大きくなりすぎ、２群の倍率色収差を補正することが困難になるために好ましくない。
【００４３】
本件は第６群フォーカスであり、第２群フォーカスではないために、第２群の望遠端の横倍率が等倍を超え、変倍分担を大きくすることができる。また、第２群の倍率色収差が増大し、条件式（２）に規定される第１群の倍率色収差と打ち消しあい、ズームレンズ全体として倍率色収差が良好に補正される。
【００４４】
更に好ましくは条件式（４ａ）を満たすと、高倍率化と倍率色収差の両立ができるので良い。
【００４５】
−１．８＜β２ｔ＜−１．０・・・（４ａ）
望ましくは以下の条件式を満たすと倍率色収差が良好に補正できるため良い。
【００４６】
０．２＜ｆ１／ｆｔ＜０．４・・・（５）
ただし
ｆ１：第１群の焦点距離
とする。
【００４７】
条件式（５）は、第１群の焦点距離と望遠端の全系焦点距離の関係を規定している。高倍ズームレンズでは、第２群の変倍分担を上げることで高倍化に貢献している。そのため第２群のパワーが強くなり、望遠端の倍率色収差は増大する。１群であえて倍率色収差を発生させることで、第２群で発生した倍率色収差を補正している。また、フォーカス時に倍率色収差が変動するが、第２群の変動分を第１群の変動分で補正することで全体としての倍率色収差の変動を補正している。上限値を超えると、第１群の焦点距離が大きくなり、第１群の色消し力が小さくなり、第２群で発生する倍率色収差を補正することが困難になるために好ましくない。下限値を超えると、第１群の焦点距離が小さくなり、第１群の色消し力が大きくなり、第２群で発生した倍率色収差を補正することが困難になるために好ましくない。
【００４８】
更に好ましくは条件式（５ａ）を満たすと、倍率色収差を更に良好に補正できるので良い。
【００４９】
０．２５＜ｆ１／ｆｔ＜０．４・・・（５ａ）
望ましくは以下の条件式を満たすと倍率色収差のフォーカス変動が補正できるため良い。
【００５０】
−０．２＜ｆ２／ｆ１＜−０．１・・・（６）
条件式（６）は第１群と第２群の焦点距離の関係を規定している。適切な範囲にすることで倍率色収差を全体として補正する。上限値を超えると第２群の焦点距離が小さくなりすぎ、倍率色収差が増大して第１群で補正することが困難になるために好ましくない。下限値を超えると第２群の焦点距離が大きくなりすぎ変倍分担を上げることが困難になり、高倍化することが困難になるために好ましくない。
【００５１】
望ましくは以下の条件式を満たすと高倍化ができるため良い。
【００５２】
【数５】
2018189866.tif 000006
【００５３】
ただし
ｖ２ｉ：第２群のｉ番目のレンズのアッベ数
φ２ｉ：第２群のｉ番目のレンズのパワー
とする。
【００５４】
条件式（７）は第２群の色消しの条件を規定している。上限値をこえると第２群の倍率色収差が小さくなりすぎ、２群の変倍分担が小さくなり、高倍化が困難になるために好ましくない。下限値をこえると第２群の倍率色収差が大きくなりすぎ、第１群で補正しきれなくなり、ズームレンズ全体として補正することが困難になるために好ましくない。
【００５５】
更に好ましくは条件式（７ａ）を満たすと、第２群の倍率色収差を良好に補正できるため良い。
【００５６】
【数６】
2018189866.tif 000007
【００５７】
望ましくは以下の条件式を満たすとフォーカス時の倍率色収差変動が補正できるため良い。
【００５８】
【数７】
2018189866.tif 000008
【００５９】
ただし
ｖ６ｉ：第６群のｉ番目のレンズのアッベ数
φ６ｉ：第６群のｉ番目のレンズのパワー
とする。
【００６０】
条件式（８）は第６群の色消し力を規定している。上限値をこえると第６群内の色消しが過剰になり、フォーカス時の倍率色収差変動が大きくなるために好ましくない。下限値をこえると６群内の色消しが十分ではなく、フォーカス時の倍率色収差変動を補正することが困難になるために好ましくない。
【００６１】
更に好ましくは条件式（８ａ）を満たすと、フォーカス時の倍率色収差変動を良好に補正できるため良い。
【００６２】
【数８】
2018189866.tif 000009
【００６３】
望ましくは以下の条件式を満たすとフォーカス時の倍率色収差変動が補正できるため良い。
【００６４】
０．５＜ｆｎ／ｆ６＜０．９・・・（９）
ただし
ｆｎ：第６群中で最もパワーの強い負レンズの焦点距離
とする。
【００６５】
条件式（９）は第６群で最もパワーの強い負レンズの焦点距離と第６群の焦点距離の関係を規定している。上限値を超えると負レンズの焦点距離が大きくなりすぎ、望遠端のフォーカス移動量と倍率色収差補正を両立することが困難になるために好ましくない。下限値を超えると負レンズの焦点距離が小さくなりすぎ、倍率色収差を補正することが困難になるために好ましくない。
【００６６】
更に好ましくは条件式（９ａ）を満たすと、フォーカス移動量と倍率色収差補正が両立できるので良い。
【００６７】
０．６＜ｆｎ／ｆ６＜０．８５・・・（９ａ）
望ましくは以下の条件式を満たすと像面湾曲が補正できるため良い。
【００６８】
【数９】
2018189866.tif 000010
【００６９】
ただし、
ｒ１ｎ：第６群で最もパワーの強い負レンズの物体側の曲率半径
ｒ２ｎ：第６群で最もパワーの強い負レンズの像側の曲率半径
とする。
【００７０】
条件式（１０）は負レンズの形状を規定している。上限値をこえると像側に凸の負レンズ形状になっていき、像面湾曲を補正するのが困難になるため好ましくない。下限値をこえると、物体側の面と像側の面の曲率半径が近くなり、像面湾曲補正が困難になるために好ましくない。
【００７１】
更に好ましくは条件式（１０ａ）を満たすと、像面湾曲を良好に補正できるので良い。
【００７２】
【数１０】
2018189866.tif 000011
【実施例２】
【００７３】
以下、図６、図７、図８を参照して、本発明の第２の実施例による、レンズ構成について説明する。図６に示す実施例２は、物体側から順に、第１正群Ｌ１、第２負群Ｌ２、絞り、第３正群Ｌ３、第４負群Ｌ４、第５正群Ｌ５、第６負群Ｌ６、から構成されている。実施例２は約１５倍の実施例となっている。条件式（１）の数値は最も大きく、６群のパワーが数値実施例の中では小さい。
【実施例３】
【００７４】
以下、図９、図１０、図１１を参照して、本発明の第３の実施例による、レンズ構成について説明する。図９に示す実施例３は、物体側から順に、第１正群Ｌ１、第２負群Ｌ２、絞り、第３正群Ｌ３、第４負群Ｌ４、第５正群Ｌ５、第６負群Ｌ６、から構成されている。フォーカスは第６群で行っている。変倍時に第５群と第６群は一体で移動している。このように、第５群と第６群はズーム時に一体で移動してもよい。ズーム中間域での収差性能が低下するが、変倍時の駆動群が減るためにメカの構成が簡素になるので良い。
【００７５】
以上、本発明の好ましい実施形態について説明したが、本発明はこれらの実施形態に限定されず、その要旨の範囲内で種々の変形及び変更が可能である。
【００７６】
次に本発明の数値実施例を示す。数値実施例において、ｒｉは物体側より順に第ｉ番目のレンズ面の曲率半径、ｄｉは第ｉ番目のレンズ厚または空気間隔、ｎｄｉとｖｄｉは第ｉ番目のレンズの材質のｄ線の屈折率とアッベ数である。また、非球面形状はレンズ面の中心部の曲率半径をＲとし、光軸方向をＸ軸とし、光軸と垂直方向をＹ軸とし、非球面係数をＡｉ（ｉ＝１，２，３…）としたとき、
【００７７】
【数１１】
2018189866.tif 000012
【００７８】
であらわされるものとする。
【００７９】
表１には本発明の上述した条件式と数値実施例の関係を示す。
数値実施例  １
単位 mm
面データ
面番号       r        d      nd         vd       有効径
1        238.145    2.50   1.90366    31.3      107.65
2        126.256   13.50   1.49700    81.5      100.95
3      -10479.984   0.15                         98.08
4        120.656   11.48   1.59282    68.6       90.20
5*     -4810.412  (可変)                         89.35
6*        94.538    0.10   1.52421    51.4       55.01
7         94.538    1.90   1.88300    40.8       54.79
8         26.846   13.62                         41.88
9        -72.319    1.80   1.88300    40.8       41.28
10        136.043    0.18                         40.09
11         87.990    7.64   1.80809    22.8       40.00
12        -61.543    2.81                         39.46
13        -35.722    1.80   1.85400    40.4       39.17
14*      -207.698    0.19                         39.95
15       1169.584    3.65   1.80809    22.8       39.93
16       -135.041  (可変)                         39.89
17(絞り)    ∞       1.00                         36.62
18*        42.046    8.06   1.55332    71.7       38.01
19*       -85.657    0.15                         37.69
20        113.975    1.40   1.90366    31.3       36.25
21         49.054    6.29   1.48749    70.2       35.05
22       -148.227  (可変)                         34.49
23*      -109.249    1.40   1.77250    49.6       32.96
24         47.953    2.99   1.80809    22.8       32.02
25         83.128  (可変)                         31.69
26        131.085    4.53   1.51633    64.1       31.50
27        -74.193    0.15                         31.47
28        198.575    1.50   1.90366    31.3       30.84
29         31.222    6.86   1.51823    58.9       29.86
30        -96.360    0.20                         29.88
31         38.328    5.08   1.51633    64.1       29.37
32      -1850.285  (可変)                         29.12
33        211.123    1.50   1.61800    63.4       28.00
34         22.211    6.57   1.72047    34.7       27.04
35       7082.551    1.50   1.85400    40.4       26.55
36*        30.264  (可変)                         25.57
像面        ∞   
非球面データ
第5面
K = 0.00000e+000  A 4= 2.39586e-008  A 6= 1.04009e-012  A 8=-1.05273e-015  A10= 2.04960e-019  
第6面
K = 0.00000e+000  A 4= 3.96788e-007  A 6=-2.18791e-009  A 8= 6.35041e-012  A10=-9.52683e-015  A12= 5.08971e-018  
第14面
K = 0.00000e+000  A 4=-1.15831e-006  A 6=-5.39730e-010  A 8= 1.30563e-012  A10=-1.16808e-015  
第18面
K = 0.00000e+000  A 4=-2.33707e-006  A 6= 3.12193e-009  A 8=-1.11033e-011  A10= 1.32145e-014  
第19面
K = 0.00000e+000  A 4= 2.51685e-006  A 6= 2.59077e-009  A 8=-1.14447e-011  A10= 1.49146e-014  
第23面
K = 0.00000e+000  A 4= 1.20473e-006  A 6= 3.45871e-010  A 8=-2.61403e-012  A10= 4.56290e-015  
第36面
K = 0.00000e+000  A 4=-5.20830e-007  A 6=-3.62520e-009  A 8= 2.14958e-011  A10=-7.25693e-014  
各種データ
ズーム比     18.78 
広角     中間     望遠
焦点距離      28.80   139.51   540.95  
Fナンバー      2.88     4.77     5.88  
画角          36.91     8.82     2.29  
像高          21.64    21.64    21.64  
レンズ全長   276.93   319.93   376.93  
BF            50.61    89.80   128.61  
d 5            1.83    69.38   117.26  
d16           84.10    28.25     7.00  
d22            2.99     6.02     2.83  
d25           21.66     7.17     8.73  
d32            5.23     8.80     1.99  
d36           50.61    89.80   128.61  
入射瞳位置    57.51   243.59   791.09  
射出瞳位置   -44.78   -32.58   -31.51  
前側主点位置  77.62   224.07  -495.52  
後側主点位置  21.81   -49.71  -412.35  
ズーム群データ
群  始面    焦点距離  レンズ構成長  前側主点位置  後側主点位置
1    1     178.06        27.63         8.92         -8.91
2    6     -28.66        33.69         4.97        -20.00
3   17      46.39        16.90         3.70         -7.90
4   23     -61.72         4.39         1.43         -0.99
5   26      46.32        18.33         7.07         -5.26
6   33     -50.99         9.57         7.74          1.92
単レンズデータ
レンズ  始面  焦点距離
1       1   -300.56
2       2    251.12
3       4    198.72
4       6    495732.58
5       7    -43.03
6       9    -53.26
7      11     45.86
8      13    -50.76
9      15    150.00
10      18     52.14
11      20    -96.29
12      21     76.40
13      23    -42.97
14      24    135.11
15      26     92.45
16      28    -41.17
17      29     46.36
18      31     72.79
19      33    -40.29
20      34     30.91
21      35    -35.59
数値実施例２
単位 mm
面データ
面番号       r        d      nd         vd       有効径
1        248.567    2.50   1.90366    31.3      107.88
2        126.493   14.18   1.49700    81.5      101.04
3      -1590.883    0.15                         98.17
4        113.050   11.75   1.59282    68.6       82.08
5*     -6304.582  (可変)                         76.54
6*       120.518    0.10   1.52421    51.4       54.68
7        120.518    1.90   1.88300    40.8       54.62
8         28.596   12.70                         42.09
9        -75.804    1.80   1.88300    40.8       41.42
10        131.638    0.62                         40.02
11        111.173    7.72   1.80809    22.8       39.89
12        -60.008    2.74                         39.24
13        -35.480    1.80   1.85400    40.4       38.96
14*      -178.749    2.69                         39.74
15       1249.931    4.07   1.80809    22.8       39.67
16       -132.983  (可変)                         39.62
17(絞り)    ∞       1.00                         36.64
18*        41.408    8.50   1.55332    71.7       38.00
19*       -85.242    0.15                         37.62
20        114.858    1.40   1.90366    31.3       36.14
21         47.550    6.44   1.48749    70.2       34.88
22       -134.520  (可変)                         34.32
23*      -106.915    1.40   1.77250    49.6       32.69
24         45.276    3.16   1.80809    22.8       31.68
25         84.429  (可変)                         31.34
26        160.983    3.95   1.51633    64.1       30.37
27        -74.238    0.15                         30.34
28        213.177    1.50   1.90366    31.3       29.81
29         30.377    6.49   1.51823    58.9       28.91
30        -96.971    0.20                         28.96
31         35.876    5.19   1.51633    64.1       29.57
32       11600.990  (可変)                         29.33
33        223.169    1.50   1.61800    63.4       28.38
34         22.604    6.21   1.72047    34.7       27.45
35        151.985    1.50   1.85400    40.4       26.94
36*        30.961  (可変)                         26.06
像面        ∞   
非球面データ
第5面
K = 0.00000e+000  A 4= 3.09130e-008  A 6= 7.59816e-013  A 8=-1.33276e-015  A10= 2.98474e-019  
第6面
K = 0.00000e+000  A 4= 4.68226e-007  A 6=-1.72169e-009  A 8= 4.78801e-012  A10=-7.02587e-015  A12= 3.81971e-018  
第14面
K = 0.00000e+000  A 4=-1.06110e-006  A 6=-3.38887e-010  A 8= 1.32064e-012  A10=-1.29805e-015  
第18面
K = 0.00000e+000  A 4=-2.12640e-006  A 6= 1.49831e-009  A 8=-7.67723e-012  A10= 7.08390e-015  
第19面
K = 0.00000e+000  A 4= 2.95892e-006  A 6= 4.53056e-010  A 8=-7.99570e-012  A10= 1.05293e-014  
第23面
K = 0.00000e+000  A 4= 1.55588e-006  A 6=-7.23667e-010  A 8=-5.60653e-013  A10= 5.03060e-015  
第36面
K = 0.00000e+000  A 4=-3.28752e-007  A 6=-3.19805e-009  A 8= 1.91127e-011  A10=-6.22259e-014  
各種データ
ズーム比     14.58 
広角     中間     望遠
焦点距離      28.80   139.51   420.00  
Fナンバー      2.88     4.77     5.88  
画角          36.91     8.81     2.95  
像高          21.64    21.64    21.64  
レンズ全長   279.81   315.65   363.15  
BF            50.83    88.89   124.45  
d 5            1.81    64.72   102.89  
d16           82.81    22.78     7.88  
d22            2.99     5.60     2.99  
d25           23.12    11.34     9.44  
d32            4.75     8.83     2.01  
d36           50.83    88.89   124.45  
入射瞳位置    57.90   234.38   631.28  
射出瞳位置   -47.93   -37.11   -33.13  
前側主点位置  78.30   219.41   -68.16  
後側主点位置  22.03   -50.63  -295.55  
ズーム群データ
群  始面    焦点距離  レンズ構成長  前側主点位置  後側主点位置
1    1     165.80        28.59         9.69         -8.77
2    6     -28.98        36.15         3.96        -24.41
3   17      46.05        17.50         3.89         -8.14
4   23     -61.85         4.56         1.46         -1.05
5   26      47.66        17.48         6.80         -4.89
6   33     -54.17         9.21         7.51          1.92
単レンズデータ
レンズ  始面  焦点距離
1       1   -287.82
2       2    236.42
3       4    187.47
4       6    805632.13
5       7    -42.88
6       9    -54.26
7      11     49.22
8      13    -52.14
9      15    148.93
10      18     51.60
11      20    -90.69
12      21     72.91
13      23    -41.01
14      24    116.61
15      26     98.97
16      28    -39.36
17      29     45.43
18      31     69.69
19      33    -40.82
20      34     36.13
21      35    -45.79
数値実施例３
単位 mm
面データ
面番号       r        d      nd         vd       有効径
1        178.550    2.50   1.90366    31.3      105.26
2        108.039   11.49   1.49700    81.5       98.40
3        352.654    0.15                         95.29
4        123.383   12.99   1.59282    68.6       87.22
5*      -859.275  (可変)                         82.13
6*        86.565    0.10   1.52421    51.4       54.74
7         86.565    1.90   1.88300    40.8       54.54
8         26.162   13.43                         41.54
9        -80.415    1.80   1.88300    40.8       40.98
10        124.858    0.15                         39.60
11         95.863    8.08   1.80809    22.8       39.51
12        -57.193    2.80                         38.80
13        -34.022    1.80   1.85400    40.4       38.43
14*      -232.024    0.15                         39.29
15       1072.085    3.71   1.80809    22.8       39.30
16       -136.455  (可変)                         39.27
17(絞り)    ∞       1.00                         38.02
18*        44.383    8.72   1.55332    71.7       39.49
19*       -83.067    0.15                         39.18
20        108.879    1.40   1.90366    31.3       38.05
21         39.697    8.27   1.48749    70.2       36.69
22        -94.536  (可変)                         36.43
23*      -105.950    1.40   1.77250    49.6       33.55
24         45.908    3.49   1.80809    22.8       32.60
25        103.931  (可変)                         32.29
26        152.842    4.14   1.51633    64.1       31.12
27        -74.957    0.15                         31.45
28        244.235    1.50   1.90366    31.3       31.61
29         33.817    6.88   1.51823    58.9       31.49
30       -105.725    0.20                         31.93
31         39.428    5.57   1.51633    64.1       33.02
32       3800.795  (可変)                         32.67
33        325.642    1.50   1.61800    63.4       31.47
34         22.749    6.37   1.72047    34.7       30.13
35         86.198    1.50   1.85400    40.4       29.58
36*        32.007  (可変)                         28.55
像面        ∞   
非球面データ
第5面
K = 0.00000e+000  A 4= 3.93826e-008  A 6=-6.06682e-013  A 8=-6.06335e-016  A10= 1.34306e-019  
第6面
K = 0.00000e+000  A 4= 2.78581e-007  A 6=-1.27417e-009  A 8= 4.36608e-012  A10=-7.95457e-015  A12= 4.79507e-018  
第14面
K = 0.00000e+000  A 4=-1.66978e-006  A 6=-6.56981e-010  A 8= 1.56761e-012  A10=-1.21850e-015  
第18面
K = 0.00000e+000  A 4=-2.14341e-006  A 6= 2.73291e-009  A 8=-1.13294e-011  A10= 1.53207e-014  
第19面
K = 0.00000e+000  A 4= 2.14371e-006  A 6= 2.02181e-009  A 8=-1.08183e-011  A10= 1.55817e-014  
第23面
K = 0.00000e+000  A 4= 7.42740e-007  A 6=-3.59739e-010  A 8=-9.20502e-013  A10= 3.15065e-015  
第36面
K = 0.00000e+000  A 4=-2.51839e-007  A 6=-5.27474e-010  A 8=-1.83970e-012  A10= 3.48633e-015  
各種データ
ズーム比     17.36 
広角     中間     望遠
焦点距離      28.80   139.49   500.00  
Fナンバー      2.88     4.77     5.88  
画角          36.91     8.82     2.48  
像高          21.64    21.64    21.64  
レンズ全長   291.14   334.11   391.07  
BF            50.68    93.70   125.50  
d 5            1.79    70.45   119.52  
d16           85.60    30.03     6.99  
d22            2.96    14.90    10.24  
d25           32.54     7.46    11.24  
d32            4.28     4.28     4.28  
d36           50.68    93.70   125.50  
入射瞳位置    57.12   239.25   716.17  
射出瞳位置   -60.73   -39.24   -40.66  
前側主点位置  78.47   232.38  -288.36  
後側主点位置  21.88   -45.79  -374.50  
ズーム群データ
群  始面    焦点距離  レンズ構成長  前側主点位置  後側主点位置
1    1     188.23        27.13         7.20        -10.31
2    6     -27.79        33.93         5.38        -19.35
3   17      47.53        19.53         4.76         -8.83
4   23     -69.30         4.89         1.42         -1.27
5   26      50.11        18.44         6.87         -5.47
6   33     -55.78         9.37         7.43          1.78
単レンズデータ
レンズ  始面  焦点距離
1       1   -307.93
2       2    308.58
3       4    182.90
4       6    415637.29
5       7    -43.10
6       9    -55.17
7      11     45.40
8      13    -46.88
9      15    150.00
10      18     53.58
11      20    -69.81
12      21     58.53
13      23    -41.30
14      24     99.09
15      26     98.01
16      28    -43.58
17      29     50.29
18      31     77.12
19      33    -39.65
20      34     41.17
21      35    -60.38
【００８０】
【表１】
2018189866.tif 000013
【符号の説明】
【００８１】
Ｌ１  第１群、Ｌ２  第２群、Ｌ３  第３群、Ｌ４  第４群、Ｌ５  第５群、
Ｌ６  第６群、ＳＰ  絞り、ＩＰ  像面、ｄ  ｄ線、ｇ  ｇ線、
ΔＳ  サジタル像面、ΔＭ  メリディオナル像面、Ｆｎｏ  Ｆナンバー、
ω  半画角
【図１】
2018189866.tif 000019
【図２】
2018189866.tif 000020
【図３】
2018189866.tif 000021
【図４】
2018189866.tif 000022
【図５】
2018189866.tif 000023
【図６】
2018189866.tif 000024
【図７】
2018189866.tif 000025
【図８】
2018189866.tif 000026
【図９】
2018189866.tif 000027
【図１０】
2018189866.tif 000028
【図１１】
2018189866.tif 000029